(57)【要約】【課題】本発明は、ＣＰＵファンのデューティサイクル制御システム及びその制御方法を提供することを目的とする。【解決手段】本発明のＣＰＵファンのデューティサイクル制御システムは、ＣＰＵファンの初期デューティサイクル、調整ステップ、温度パラメーターを設定するパラメーター設定モジュールと、ＣＰＵファンのデューティサイクルを第一デューティサイクル又は第二デューティサイクルに調整するデューティサイクル調整モジュールと、環境温度、ＣＰＵの第一、第二動作温度を獲得する温度獲得モジュールと、ＣＰＵの第一、第二最適化温度と、両者の温度差を計算する温度計算モジュールと、ＣＰＵファンの最適化デューティサイクル範囲を獲得し、且つＣＰＵファンのデューティサイクルを最適化デューティサイクル範囲内に制御するデューティサイクル制御モジュールと、を備える。本発明は、ＣＰＵファンのデューティサイクル制御方法も提供する。【選択図】図１
2011176290.tif 000002
【特許請求の範囲】
【請求項１】
ＣＰＵ、ＣＰＵファン及び温度センサーを備えるコンピューターに取り付けて動作するＣＰＵファンのデューティサイクル制御システムであって、
前記ＣＰＵファンの初期デューティサイクル、調整ステップ、温度パラメーターを設定するために用いられるパラメーター設定モジュールと、
前記初期デューティサイクル及び前記調整ステップによって、前記ＣＰＵファンのデューティサイクルを第一デューティサイクルに調整し、さらに前記第一デューティサイクル及び前記調整ステップによって、前記ＣＰＵファンのデューティサイクルを第二デューティサイクルに調整するデューティサイクル調整モジュールと、
前記温度センサーによって、環境温度、前記ＣＰＵファンの第一デューティサイクルに対応する前記ＣＰＵの第一動作温度及び前記ＣＰＵファンの第二デューティサイクルに対応する前記ＣＰＵの第二動作温度を獲得する温度獲得モジュールと、
前記ＣＰＵの第一動作温度及び前記環境温度に基づいて、前記ＣＰＵファンの第一デューティサイクルに対応する前記ＣＰＵの第一最適化温度を計算し、且つ前記ＣＰＵの第二動作温度及び前記環境温度に基づいて、前記ＣＰＵファンの第二デューティサイクルに対応する前記ＣＰＵの第二最適化温度を計算し、且つ前記第一最適化温度及び前記第二最適化温度に基づいて温度差を計算する温度計算モジュールと、
前記温度差が予定の温度パラメーターより小さければ、前記第一デューティサイクル及び前記第二デューティサイクルによって前記ＣＰＵファンの最適化デューティサイクル範囲を獲得し、且つ前記ＣＰＵファンのデューティサイクルを前記最適化デューティサイクル範囲内に制御するデューティサイクル制御モジュールと、
を備えることを特徴とするＣＰＵファンのデューティサイクル制御システム。
【請求項２】
前記パラメーター設定モジュールは、さらにカウンターを設定するために用いられ、且つ前記カウンターを０に初期化することを特徴とする請求項１に記載のＣＰＵファンのデューティサイクル制御システム。
【請求項３】
前記デューティサイクル制御モジュールは、前記温度差が予定の温度パラメーターより小さいか否かを判断し、前記温度差が予定の温度パラメーターより大きいか又は予定の温度パラメーターと等しければ、前記カウンターに１をプラスすることを特徴とする請求項２に記載のＣＰＵファンのデューティサイクル制御システム。
【請求項４】
前記ＣＰＵファンの最適化デューティサイクル範囲は、前記ＣＰＵファンの第一デューティサイクルと前記ＣＰＵファンの第二デューティサイクルとの間であることを特徴とする請求項３に記載のＣＰＵファンのデューティサイクル制御システム。
【請求項５】
ＣＰＵファンの初期デューティサイクル、調整ステップ及び温度パラメーターを設定する第一ステップと、
環境温度を獲得する第二ステップと、
初期デューティサイクル及び前記調整ステップによって、前記ＣＰＵファンのデューティサイクルを第一デューティサイクルに調整し、且つ前記ＣＰＵファンの第一デューティサイクルに対応するＣＰＵの第一動作温度を獲得する第三ステップと、
前記第一動作温度及び前記環境温度に基づいて、前記ＣＰＵファンの第一デューティサイクルに対応する前記ＣＰＵの第一最適化温度を計算する第四ステップと、
前記第一デューティサイクル及び調整ステップによって、前記ＣＰＵファンのデューティサイクルを第二デューティサイクルに調整し、且つ前記ＣＰＵファンの第二デューティサイクルに対応する前記ＣＰＵの第二動作温度を獲得する第五ステップと、
前記第二動作温度及び前記環境温度に基づいて、前記ＣＰＵファンの第二デューティサイクルに対応する前記ＣＰＵの第二最適化温度を計算する第六ステップと、
前記第一最適化温度及び前記第二最適化温度に基づいて温度差を計算する第七ステップと、
前記温度差が予定の温度パラメーターより小さいか否かを判断する第八ステップと、
前記温度差が予定の温度パラメーターより小さければ、前記第一デューティサイクル及び前記第二デューティサイクルによって前記ＣＰＵファンの最適化デューティサイクル範囲を獲得し、且つ前記ＣＰＵファンのデューティサイクルを前記最適化デューティサイクル範囲内に制御する第九ステップと、
備えることを特徴とするＣＰＵファンのデューティサイクル制御方法。
【請求項６】
カウンターを設定し、且つ前記カウンターを０に初期化するステップをさらに備えることを特徴とする請求項５に記載のＣＰＵファンのデューティサイクル制御方法。
【請求項７】
前記温度差が予定の温度パラメーターより大きいか又は予定の温度パラメーターと等しければ、前記カウンターに１をプラスし、前記第三ステップに戻るステップをさらに備えることを特徴とする請求項６に記載のＣＰＵファンのデューティサイクル制御方法。
【発明の詳細な説明】
【技術分野】
【０００１】
本発明は、ＣＰＵファンのデューティサイクル制御システム及びその制御方法に関するものである。
【背景技術】
【０００２】
環境温度の変化によってコンピューターシステム内のファンのデューティサイクル（Ｄｕｔｙ  ｃｙｃｌｅ）を調整することにより、コンピューターシステムの放熱効果を改善する。しかし、ファンのデューティサイクルが１００％であると、騒音が大きくなって、所定の騒音基準を超える。ファンのデューティサイクルを高めるとＣＰＵの温度を改善することができるが、ファンのデューティサイクルが８０％より大きければ、ＣＰＵの温度の改善状況とファンのデューティサイクルはリニア関係を構成しないため、ファンのデューティサイクルが２０％〜８０％である時に比べて、ＣＰＵの温度の改善状況が明らかではなく、即ちファンのデューティサイクルを高めたとしても、放熱効果が理想的ではなく、反ってファンの騒音を増加する。
【発明の概要】
【発明が解決しようとする課題】
【０００３】
本発明の目的は、前記課題を解決し、ＣＰＵファンのデューティサイクル制御システム及びその制御方法を提供して、ＣＰＵファンが最適化のデューティサイクル範囲内で動作するように制御して、コンピューターシステムの放熱効果とＣＰＵファンの騒音を最適化する。
【課題を解決するための手段】
【０００４】
本発明に係るＣＰＵファンデューティサイクル制御システムは、ＣＰＵ、ＣＰＵファン及び温度センサーを備えるコンピューターに取り付けて動作し、前記ＣＰＵファンの初期デューティサイクル、調整ステップ、温度パラメーターを設定するために用いられるパラメーター設定モジュールと、前記初期デューティサイクル及び前記調整ステップによって、前記ＣＰＵファンのデューティサイクルを第一デューティサイクルに調整し、且つ前記第一デューティサイクル及び前記調整ステップによって、前記ＣＰＵファンのデューティサイクルを第二デューティサイクルに調整するデューティサイクル調整モジュールと、前記温度センサーによって、環境温度、前記ＣＰＵファンの第一デューティサイクルに対応する前記ＣＰＵの第一動作温度及び前記ＣＰＵファンの第二デューティサイクルに対応する前記ＣＰＵの第二動作温度を獲得する温度獲得モジュールと、前記ＣＰＵの第一動作温度及び前記環境温度に基づいて、前記ＣＰＵファンの第一デューティサイクルに対応する前記ＣＰＵの第一最適化温度を計算し、且つ前記ＣＰＵの第二動作温度及び前記環境温度に基づいて、前記ＣＰＵファンの第二デューティサイクルに対応する前記ＣＰＵの第二最適化温度を計算し、且つ前記第一最適化温度及び前記第二最適化温度に基づいて温度差を計算する温度計算モジュールと、前記温度差が予定の温度パラメーターより小さければ、前記第一デューティサイクル及び前記第二デューティサイクルによって前記ＣＰＵファンの最適化デューティサイクル範囲を獲得し、且つ前記ＣＰＵファンのデューティサイクルを前記最適化デューティサイクル範囲内に制御するデューティサイクル制御モジュールと、を備える。
【０００５】
本発明に係るＣＰＵファンデューティサイクル制御方法は、ＣＰＵファンの初期デューティサイクル、調整ステップ及び温度パラメーターを設定する第一ステップと、環境温度を獲得する第二ステップと、初期デューティサイクル及び前記調整ステップによって、前記ＣＰＵファンのデューティサイクルを第一デューティサイクルに調整し、且つ前記ＣＰＵファンの第一デューティサイクルに対応するＣＰＵの第一動作温度を獲得する第三ステップと、前記第一動作温度及び前記環境温度に基づいて、前記ＣＰＵファンの第一デューティサイクルに対応する前記ＣＰＵの第一最適化温度を計算する第四ステップと、前記第一デューティサイクル及び調整ステップによって、前記ＣＰＵファンのデューティサイクルを第二デューティサイクルに調整し、且つ前記ＣＰＵファンの第二デューティサイクルに対応する前記ＣＰＵの第二動作温度を獲得する第五ステップと、前記第二動作温度及び前記環境温度に基づいて、前記ＣＰＵファンの第二デューティサイクルに対応する前記ＣＰＵの第二最適化温度を計算する第六ステップと、前記第一最適化温度及び前記第二最適化温度に基づいて温度差を計算する第七ステップと、前記温度差が予定の温度パラメーターより小さいか否かを判断する第八ステップと、前記温度差が予定の温度パラメーターより小さければ、前記第一デューティサイクル及び前記第二デューティサイクルによって前記ＣＰＵファンの最適化デューティサイクル範囲を獲得し、且つ前記ＣＰＵファンのデューティサイクルを前記最適化デューティサイクル範囲内に制御する第九ステップと、備える。
【発明の効果】
【０００６】
本発明のＣＰＵファンのデューティサイクル制御システム及びその制御方法において、ＣＰＵファンのデューティサイクルを最適化デューティサイクル範囲内に制御して、コンピューターシステムの放熱効果とＣＰＵファンの騒音を最適化することができ、従ってコンピューターシステムは最も優れた放熱効果に達することができ、且つ前記ＣＰＵファンの騒音を最も小さくすることができる。
【図面の簡単な説明】
【０００７】
【図１】本発明の実施形態に係るＣＰＵファンのデューティサイクル制御システムの構成を示すブロック図である。
【図２Ａ】本発明の実施形態に係るＣＰＵファンのデューティサイクル制御方法のフローチャートである。
【図２Ｂ】本発明の実施形態に係るＣＰＵファンのデューティサイクル制御方法のフローチャートである。
【図３】ＣＰＵファンの異なるデューティサイクルに対応するＣＰＵの温度曲線とＣＰＵファンの異なるデューティサイクルに対応するＣＰＵファンの騒音曲線を示す図である。
【発明を実施するための形態】
【０００８】
図１に示されたように、本発明の実施形態に係るＣＰＵ（中央処理装置）ファンのデューティサイクル（Ｄｕｔｙ  ｃｙｃｌｅ）制御システム３２は、コンピューター３内で動作する。前記コンピューター３は、パーソナルコンピューター（ＰＣ）、ノートブックコンピュータ、サーバー（Ｓｅｒｖｅｒ）又は他の電子計算装置であることができる。前記コンピューター３は、ＣＰＵファン１、ＣＰＵ２及び温度センサー３１を備える。前記ＣＰＵファン１は、前記ＣＰＵ２に取り付けられて、ＣＰＵ２が動作する時に生じる熱を放熱する。前記ＣＰＵファンのデューティサイクル制御システム３２は、前記温度センサー３１によって前記ＣＰＵファン１及び前記ＣＰＵ２に接続する。前記温度センサー３１は、環境温度及び前記ＣＰＵ２の動作温度を感知するために用いられる。本実施形態において、前記温度センサー３１は、前記ＣＰＵファン１に取り付けられるが、他の実施形態において、前記温度センサー３１は、前記コンピューター３のマザーボードに取り付けることができる。前記ＣＰＵファンのデューティサイクル制御システム３２は、パラメーター設定モジュール３２０、デューティサイクル調整モジュール３２１、温度獲得モジュール３２２、温度計算モジュール３２３及びデューティサイクル制御モジュール３２４を備える。
【０００９】
前記パラメーター設定モジュール３２０は、前記ＣＰＵファン１の初期デューティサイクルＮ０、調整ステップＷ、温度パラメーターＣ及びカウンターＡを設定するために用いられ、且つ前記カウンターＡを０に初期化する。本実施形態において、前記パラメーター設定モジュール３２０は、前記初期デューティサイクルＮ０を前記ＣＰＵファン１の最大デューティサイクル（Ｄｕｔｙ  ｃｙｃｌｅ＝１００％）の３０％に設定し、即ちＮ０＝３０％であり、前記調整ステップＷを５％に設定し、即ち毎回前記ＣＰＵファン１のデューティサイクルを５％調整し、前記温度パラメーターＣを２℃に設定する。他の実施形態において、初期デューティサイクルＮ０、調整ステップＷ、温度パラメーターＣは、全て実際の要求によって設定することができ、例えば、Ｎ０は２０％又は４０％であることができ、前記調整ステップＷは２％又は１０％であることができ、前記温度パラメーターＣは１℃又は５℃であることができる。
【００１０】
前記デューティサイクル調整モジュール３２１は、前記初期デューティサイクルＮ０及び前記調整ステップＷによって、前記ＣＰＵファン１のデューティサイクルを第一デューティサイクルＮ１に調整し、即ちＮ１＝Ｎ０＋Ａ×Ｗに調整し、さらに、前記第一デューティサイクルＮ１及び前記調整ステップＷによって、前記ＣＰＵファン１のデューティサイクルを第二デューティサイクルＮ２に調整し、即ちＮ２＝Ｎ１＋Ｗに調整する。
【００１１】
前記温度獲得モジュール３２２は、前記温度センサー３１によって環境温度ＴＡを獲得する。例えば、室内温度が３０℃である場合、前記温度センサー３１は、環境温度ＴＡが３０℃であることを感知することができ、且つ前記環境温度を前記温度獲得モジュール３２２に伝送する。前記温度獲得モジュール３２２は、前記温度センサー３１によって、前記ＣＰＵファン１の異なるデューティサイクルに対応する前記ＣＰＵ２の動作温度を獲得する。例えば、前記温度獲得モジュール３２２は、前記温度センサー３１によって、前記ＣＰＵファン１の第一デューティサイクルＮ１に対応する前記ＣＰＵ２の第一動作温度ＴＮ１及び前記ＣＰＵファン１の第二デューティサイクルＮ２に対応する前記ＣＰＵ２の第二動作温度ＴＮ２を獲得する。
【００１２】
前記温度計算モジュール３２３は、前記ＣＰＵ２の第一動作温度ＴＮ１及び前記環境温度ＴＡに基づいて、前記ＣＰＵファン１の第一デューティサイクルＮ１に対応する前記ＣＰＵ２の第一最適化温度ｄＴ１＝ＴＮ１−ＴＡを計算し、且つ前記ＣＰＵ２の第二動作温度ＴＮ２及び前記環境温度ＴＡに基づいて、前記ＣＰＵファン１の第二デューティサイクルＮ２に対応する前記ＣＰＵ２の第二最適化温度ｄＴ２＝ＴＮ２−ＴＡを計算する。前記温度計算モジュール３２３は、前記第一最適化温度ｄＴ１及び前記第二最適化温度ｄＴ２に基づいて温度差△Ｔを計算、即ち△Ｔ＝ｄＴ１−ｄＴ２を計算する。
【００１３】
前記デューティサイクル制御モジュール３２４は、前記温度差△Ｔが予定の温度パラメーターＣより小さいか否かを判断し、例えば、△Ｔが２℃より小さいか否かを判断する。前記デューティサイクル制御モジュール３２４は、△Ｔが予定の温度パラメーターＣより大きいか又は予定の温度パラメーターＣと等しければ、前記カウンターに１をプラスする。すなわち、Ａ＝Ａ＋１とする。。△Ｔが予定の温度パラメーターＣより小さければ、前記第一デューティサイクルＮ１及び前記第二デューティサイクルＮ２によって最適化デューティサイクル範囲Ｎを獲得し、且つ前記ＣＰＵファン１のデューティサイクルを前記最適化デューティサイクル範囲Ｎ内に制御する。本実施形態において、前記ＣＰＵファン１の最適化デューティサイクル範囲Ｎは、前記第一デューティサイクルＮ１〜前記第二デューティサイクルＮ２であり、即ちＮ１≦Ｎ≦Ｎ２であり、例えば、８０％≦Ｎ≦８５％である。前記ＣＰＵファン１が最適化デューティサイクル範囲Ｎ内で動作すると、コンピューターシステムは最も優れる放熱効果に達することができ、且つ前記ＣＰＵファン１の騒音を最も小さくすることができる。
【００１４】
図２Ａ及び図２Ｂに示されたように、本発明のＣＰＵファンのデューティサイクル制御方法は、以下のステップを備える。本実施形態において、図１に示すＣＰＵファンのデューティサイクル制御システム３２を介して、本発明のＣＰＵファンのデューティサイクル制御方法を説明する。
【００１５】
ステップＳ２０：前記パラメーター設定モジュール３２０によって、前記ＣＰＵファン１の初期デューティサイクルＮ０、調整ステップＷ、温度パラメーターＣ及びカウンターＡを設定し、且つ前記カウンターＡを０に初期化する。すなわち、本実施形態において、前記記パラメーター設定モジュール３２０は、前記初期デューティサイクルＮ０を前記ＣＰＵファン１の最大デューティサイクル（Ｄｕｔｙ  ｃｙｃｌｅ＝１００％）の３０％に設定し、即ちＮ０＝３０％であり、前記調整ステップＷを５％に設定し、即ち毎回前記ＣＰＵファン１のデューティサイクルを５％調整し、前記温度パラメーターＣを２℃に設定し、即ちＣ＝２℃である。他の実施形態において、前記ＣＰＵファン１の初期デューティサイクルＮ０、調整ステップＷ及び温度パラメーターＣは、全て実際の要求によって設定することができ、例えば、前記初期デューティサイクルＮ０を２０％又は４０％に設定することができ、前記調整ステップＷを２％又は１０％に設定することができ、前記温度パラメーターＣを１℃又は５℃に設定することができる。
【００１６】
ステップＳ２１：前記温度獲得モジュール３２２は、前記温度センサー３１によって環境温度ＴＡを獲得する。例えば、室内温度が３０℃である場合、前記温度センサー３１は、環境温度ＴＡが３０℃であることを感知することができ、且つ前記環境温度を前記温度獲得モジュール３２２に伝送する。
【００１７】
ステップＳ２２：前記デューティサイクル調整モジュール３２１は、前記初期デューティサイクルＮ０及び前記調整ステップＷによって、前記ＣＰＵファン１のデューティサイクルを第一デューティサイクルＮ１に調整し、即ちＮ１＝Ｎ０＋Ａ×Ｗである。
【００１８】
ステップＳ２３：前記温度獲得モジュール３２２は、前記温度センサー３１によって、前記ＣＰＵファン１の第一デューティサイクルＮ１に対応する前記ＣＰＵ２の第一動作温度ＴＮ１を獲得し、前記温度計算モジュール３２３は、前記第一動作温度ＴＮ１及び前記環境温度ＴＡに基づいて、前記ＣＰＵファン１の第一デューティサイクルＮ１に対応する前記ＣＰＵ２の第一最適化温度ｄＴ１を計算し、即ちｄＴ１＝ＴＮ１−ＴＡである。
【００１９】
ステップＳ２４：前記デューティサイクル調整モジュール３２１は、前記第一デューティサイクルＮ１及び調整ステップＷによって、前記ＣＰＵファン１のデューティサイクルを第二デューティサイクルＮ２に調整し、即ちＮ２＝Ｎ１＋Ｗである
【００２０】
ステップＳ２５：前記温度獲得モジュール３２２は、前記温度センサー３１によって、前記ＣＰＵファン１の第二デューティサイクルＮ２に対応する前記ＣＰＵ２の第二動作温度ＴＮ２を獲得し、前記温度計算モジュール３２３は、前記第二動作温度ＴＮ２及び前記環境温度ＴＡに基づいて、前記ＣＰＵファン１の第二デューティサイクルＮ２に対応する前記ＣＰＵ２の第二最適化温度ｄＴ２を計算し、即ちｄＴ２＝ＴＮ２−ＴＡである。
【００２１】
ステップＳ２６：前記温度計算モジュール３２３は、前記第一最適化温度ｄＴ１及び前記第二最適化温度ｄＴ２に基づいて温度差△Ｔを計算し、即ち△Ｔ＝ｄＴ１−ｄＴ２である。
【００２２】
ステップＳ２７：前記デューティサイクル制御モジュール３２４は、前記温度差△Ｔが予定の温度パラメーターＣより小さいか否かを判断し、例えば、△Ｔが２℃より小さいか否かを判断する。
【００２３】
△Ｔが予定の温度パラメーターＣより大きいか又は△Ｔが予定の温度パラメーターＣと等しければ、ステップＳ２８に入り、前記デューティサイクル制御モジュール３２４は、前記カウンターＡ＝Ａ＋１を計算してから、ステップＳ２２に戻る。△Ｔが予定の温度パラメーターＣより小さければ、ステップＳ２９に入り、前記デューティサイクル制御モジュール３２４は、前記第一デューティサイクルＮ１及び前記第二デューティサイクルＮ２によって最適化デューティサイクル範囲Ｎを獲得し、Ｎ１≦Ｎ≦Ｎ２であり、即ち前記ＣＰＵファン１の最適化デューティサイクル範囲Ｎが前記第一デューティサイクルＮ１〜前記第二デューティサイクルＮ２であることを表示し、例えば、８０％≦Ｎ≦８５％であり、且つ前記ＣＰＵファン１のデューティサイクルを前記最適化デューティサイクル範囲Ｎ内に制御する。前記ＣＰＵファン１が最適化デューティサイクル範囲Ｎ内で動作すると、コンピューターシステムの放熱効果とＣＰＵファンの騒音を最適化することができ、従って最も優れた放熱効果に達することができ、且つＣＰＵファンの騒音を最も低くすることができる。
【００２４】
図３は、ＣＰＵファンの異なるデューティサイクルに対応するＣＰＵの温度曲線と、ＣＰＵファンの異なるデューティサイクルに対応するＣＰＵファンの騒音曲線と、を示す図である。図３に示されたように、ＣＰＵファンの騒音とＣＰＵファンのデューティサイクルはリニア関係を構成し、即ちＣＰＵファンのデューティサイクルを高めると、ＣＰＵファンの騒音もそのデューティサイクルにしたがって正比例に増加する。しかし、ＣＰＵファンのデューティサイクルとＣＰＵの温度はリニア関係を構成しない。例えば、ＣＰＵファンのデューティサイクルが最大デューティサイクルの８０％より大きければ、ＣＰＵの温度とＣＰＵファンのデューティサイクルはリニア関係を構成しなく、ＣＰＵファンのデューティサイクルが２０％〜８０％である時に比べて、ＣＰＵの温度の変化状況が明らかではない。本実施形態において、ＣＰＵファンのデューティサイクルが最大デューティサイクルの８０％である場合、ＣＰＵファンの騒音は５２ｄＢであり、ＣＰＵの温度は６５℃である。ＣＰＵファンのデューティサイクルが最大デューティサイクル１００％である場合、ＣＰＵファンの騒音は６０ｄＢであり、ＣＰＵの温度は６６．５℃前後である。従って、ＣＰＵファンのデューティサイクルが最大デューティサイクルの８０％を超えると、コンピューターシステムの放熱効果はほぼ改善されなく、即ち改善温度はただ６６．５℃−６５℃＝１．５℃であるが、ＣＰＵファンの騒音は８ｄＢ増加する。
【００２５】
上述したように、本発明のＣＰＵファンのデューティサイクル制御システム及び制御方法は、ＣＰＵファンのデューティサイクルを最適化デューティサイクル範囲内に制御することができ、従ってコンピューターシステムの放熱効果とファンの騒音を最適化する目的に達する。
【００２６】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００２７】
１  ＣＰＵファン
２  ＣＰＵ
３  コンピューター
３１  温度センサー
３２  ＣＰＵファンのデューティサイクル制御システム
３２０  パラメーター設定モジュール
３２１  デューティサイクル調整モジュール
３２２  温度獲得モジュール
３２３  温度計算モジュール
３２４  デューティサイクル制御モジュール
【図１】
2011176290.tif 000003
【図２Ａ】
2011176290.tif 000004
【図２Ｂ】
2011176290.tif 000005
【図３】
2011176290.tif 000006